(57)【要約】【構成】  底部エッジおよび平面状前面を有する剛性のある矩形ベースを有する回路基盤用ブラケットである。ベースから上方に延長するヘッドは、長手軸にそって、ねじを形成したボアを有する。ヘッドのベースとの間にあるブラケットの中間領域は、この中間領域を横方向に貫通するほぼ矩形の開口を有する。ブラケット上部の上面は、設定位置決めできる平面を有する。好ましくは、ベースの平面状底面は、半田処理によって回路基盤に表面実装できるように構成する。さらに、この平面状底面は、下向きに延長するピンを有し、これらピンは、回路基盤の対応するホールに受け取られる。【選択図】図４
2008544190.tif 000002
【特許請求の範囲】
【請求項１】
回路基盤に取り付けるためのブラケットにおいて、
ヘッド、前面、中間領域、および底部エッジを有する本体、
上記前面に素子を固定するために、上記本体ヘッドに設けた取り付け手段、
上記前面から上記中間領域を貫通してその後面まで延長するほぼ矩形の開口、および
上記前面の底部エッジ下部の上記本体の平面状ベースであって、上記前面に対して平行でこれから後方にオフセットした前側部を有し、そしてさらに半田処理できる平面状底面を有する平面状ベースからなることを特徴とするブラケット。
【請求項２】
さらに、上記本体の中心平面状上面であって、ブラケットを設定位置決めできる平面状上面を有する請求項１記載のブラケット。
【請求項３】
上記ベースが、さらに、少なくとも一つのピンを上記底面から下向きに延長した請求項２記載のブラケット。
【請求項４】
上記取り付け手段が、ねじを形成したボアを上記前面に貫通形成した請求項３記載のブラケット。
【請求項５】
ピン数が２のみである請求項４記載のブラケット。
【請求項６】
請求項３記載のブラケット、およびこのブラケットの各ピンを受け取る開口を有する回路基盤を有する部品構成体。
【請求項７】
上記ヘッドにスナップ接続手段を形成した請求項１記載のブラケット。
【請求項８】
上記スナップ接続手段が、それぞれ上記ヘッドの両側に設けた２つの横方向に走る溝を有する請求項７記載のブラケット。
【請求項９】
回路基盤に取り付けるためのブラケットにおいて、
底部エッジをもつ平面状前面を有する本体、
上記前面に素子を固定するために、上記本体に設けた取り付け手段、
上記本体の中心平面状上面であって、ブラケットを位置決め設定できる平面状上面、および
上記前面の底部エッジ下部の上記本体のベースであって、上記前面に対して平行でこれから後方にオフセットした前側部を有し、そしてさらに回路基盤上面に対して半田処理できる平面状底面を有するベースからなることを特徴とするブラケット。
【請求項１０】
上記ベースが、さらに、上記底面から下向きに延長する少なくとも一つのポストを有する請求項９記載のブラケット。
【請求項１１】
さらに、上記前面を貫通する、ねじを形成した長手方向ボアを有する請求項１０記載のブラケット。
【発明の詳細な説明】
【技術分野】
【０００１】
関連出願
本出願は、２００５年６月２２日に出願され、発明の名称を“回路基盤兼タイラップブラッケト”とし、本出願が優先権を主張する米国仮特許出願第６０／５９５，３１２号に関連する出願である。
本発明は、ファスナー装置および回路基盤のハードウェアを実装することに関する。具体的には、本発明は、表面実装できる回路基盤を対象とする直角実装ブラケット兼タイラップコネクタに関する
【背景技術】
【０００２】
表面から直角に実装アタッチメントを与える実装ブラケットは数多く存在している。一つの具体的なブラケットは、例えば、“垂直エッジファスナー装置”を発明の名称とするＵＳＰ５，８１０，５０１に開示されている。この公報に記載されている装置は、金属シートにブラケットをクリンチ式で取り付ける矩形のベースを有する。ところが、回路基盤に対する実装ブラケットの需要が大きく、この装置は、回路基盤に不向きである。
【０００３】
回路基盤ブラケットの一つの必要条件は、回路基盤のエッジと同じ高さか、あるいはこれを越えて延長する垂直取り付け面を形成できる能力であるが、この望ましい取り付け位置にはいくつかの問題がある。第１に、回路基盤の大量生産において効率よく使用できるようにするために、実装ブラケットの場合、自動位置決め装置によって回路基盤にこれを搬送、位置決めする必要があることが多い。この自動位置決め装置は、中心トップに平坦面を持つ必要があり、従って真空作業アームによって扱うことができる。第２に、回路基盤の表面に対して垂直な配向面を設定するために、実装ブラケットは、平面状の取り付け面をもつ必要がある。第３に、ブラケットの回路基盤側底面を取り付け面と同じ広さにできない。というのは、同じエッジ高さで取り付ける必要がある場合、あるいは取り付け面を回路基盤のエッジを越えて延長する必要がある取り付け構成については、表面実装半田ジョイントを正しく挿入できる回路基盤周囲がブラケットの前側エッジに存在しないからである。
【０００４】
また、回路基盤配線を固定するために通常利用されているケーブルタイを固定する取り付け点を回路基盤に設定する必要もある。パネルに実装するケーブルタイ取り付けブラケットについては、既にシート金属パネルを対象として、例えばＰｅｎｎ  Ｅｎｇｉｎｅｅｒｉｎｇ＆Ｍａｎｕｆａｃｔｕｒｉｎｇ社から販売されているＴｙ−Ｄ（登録商標）自動クリンチ式ケーブルタイマウントなどの矩形のクリンチ式ケーブルタイマウントの形で利用できるようになっているが、これらのマウントの場合、ケーブルタイ以外のファスナー装置がなく、金属パネルへのクリンチ式実装のみに利用されているに過ぎず、回路基盤には利用できない。
【特許文献１】ＵＳＰ５，８１０，５０１
【発明の開示】
【発明が解決しようとする課題】
【０００５】
以上説明した従来技術の場合個々のニーズには対処方法があるが、生産の経済的効率および対象用途の多様性の点から、ねじによる取り付けおよびケーブルタイによる取り付けの両者を満足する回路基盤実装を単一の実装ブラケット装置で行える十分な解決策は依然として存在していない。
【課題を解決するための手段】
【０００６】
本発明装置は、表面実装できるとともに、ねじ式ファスナー装置およびケーブルタイを個別に、あるいは同時に独立して受け取る手段を有する回路基盤実装ブラケットを提供するものである。本発明装置は、さらに、自動組み立てに適応する設定位置決め（ｐｉｃｋ−ａｎｄ−ｐｌａｃｅ）構成も有する。そしてさらに、実装パッドのエッジをオフセットし、ブラケットの面を回路基盤のエッジより低く設定するか、同じ高さに設定するか、あるいはこのエッジを越えて延長させるオフセット機構も有する。また、ケーブルタイを受け取るブラケットの開口を実装ベースの延長部分に設けると、質量を最小に抑えた状態で、ねじ式ファスナー実装点の高さを高くできる作用効果を実現できる。ブラケットの高さが高くなると、締め付けねじを回す工具の自由度が増す上に、装置構成に必要な材料を節約できるため生産の経済効率を改善できる。また、輸送・搬送コストの削減により、さらにコストを削減できる。加えて、表面実装プロセス時にアセンブリ全体を加熱するため、熱的質量が低くなり、ファスナーを素早くかつ制御された方法で加熱できる。
【０００７】
より具体的には、本出願人は、底部エッジと平面状前面を有する矩形の剛性のあるベースからなる回路基盤のブラケットを発明したものである。このベースから上方に延長するヘッドは、横方向軸にそってねじを形成したボアを有する。本発明の一つの実施態様では、ヘッドとベースとの間にあるブラケットの中間領域に、この中間領域を介して横方向に前面から後面に走るほぼ矩形の開口を形成する。ブラケットのヘッド上部の平面をブラケットの設定位置決め（ｐｉｃｋ−ａｎｄ−ｐｌａｃｅ）に使用する。ベースは、さらに、回路基盤への半田による表面実装に利用する底部平面を有する。この底部平面は、回路基盤の対向するホールに挿入されて受け取られる下向きピンを有する。ねじ表示マークなどをスナップコネクタ取り付け点として使用する場合には、好ましくは一方の側かまたは両側の横方向溝の形で対向側面に設けることができる。
【０００８】
当業者にとっては添付図面および以下の好適な実施態様の説明から明らかになるように、本発明の上記構成によれば、従来技術における各ニーズを満足できるとともに、いっそうの改善および作用効果が得られるものである。以下、具体的な実施態様について本発明を説明するが、以下の説明はあくまでも例示を目的として、本発明の限定を意図するものではない。当業者ならば、発明の精神および範囲から逸脱しなくても、好適な実施態様に各種の変更などを加えることができるはずである。なお、理解を容易にするために、添付図面を通して同じ構成成分は同じ符号で示す。
【発明を実施するための最良の形態】
【０００９】
図１について説明すると、本発明は、ベース１１、ストラップ固定開口を有する中間部１２およびヘッド１３からなる。ヘッド上部の水平な平面５が、部品を回路基盤部位に部品を自動的に設定位置決めする平面である。このヘッドはさらにねじなどのねじ式ファスナーを受け取る横方向にねじを形成したボア１を有する。なお、ボアに必ずしもねじを形成する必要はなく、任意の対応する要素を受け取ることができるようになっていればよい。ヘッド側部は横方向に走る溝６を有し、これらは、溝の有無によってねじ形式かどうかを示すなどのいくつかの役割を果たすものである。また、これら溝は、他の構成成分へのスナップ接続取り付け点にもなり、これをファスナーのヘッドに着脱自在に取り付けるものである。
【００１０】
ヘッドとベースの間にあるファスナーの中間領域は、矩形開口７を有し、この開口は、ブラケットの平面状前面１５からブラケットの幅全体にわたって延長し、ケーブルタイを通す通路を設けるためのものである。ベースは、さらに、検査用切欠き３を有している。この切欠き３があるため、回路基盤上へのブラケットのエッジ取り付けが容易になり、従って半田ジョイントを検査できるようにエッジにそって回路基盤上に表面領域を露出した状態で、ブラケットの前面を回路基盤のエッジと同一高さにできる。
【００１１】
次に図２ついて説明すると、ファスナーブラケットの底部の細部が示されている。ベースは、平面状の底面２を有し、一つか複数のピン４がここから下向きに延長している。検査用切欠き３が、ベースの前エッジに沿って延長している。図２には、ケーブルタイ開口７、ねじを形成したボア１および表示用溝６も示されている。図３、４および５について説明すると、上面５、ねじを形成したスルーボア１、矩形のスルーボア７、切欠き３、底面２および位置決めピン４がどのような関係にあるかが詳細に示されている。
【００１２】
ブラケットを使用するさいには、ブラケットの平面状上面に作用する設定位置決め式搬送機構を利用する通常の自動表面実装プロセスによってブラケットを回路基盤に表面実装する。設定時には、回路基盤のホールが、ブラケットのベースから下向きに延長するピンを受け取る。これらピンは、回路基盤上にブラケットを適正に位置決めし、かつ半田ジョイントに強度を付加する機能を果たす。そして、ブラケットの前後の底部エッジに切欠きが存在しているため、半田ジョイントを目視検査でき、従ってブラケットの回路基盤のエッジと同じ高さにあるかを検査できる。ブラケットを一旦取り付けると、ねじを形成したボアに対応するねじ式ファスナーを適用することによって、任意の素子またはシャシ実装構成を固定することができる。ブラケットを貫通する矩形開口を使用すれば、回路基盤配線の固定などの各種用途のケーブルを受け取ることができる。また、部品に追加使用することができるヘッドのいずれかの側における溝の有無を使用すれば、計量対標準ねじプロファイルなどのねじの品質を示すことができる。
【００１３】
好適な実施態様を示す添付図面および説明から、当業者ならば、本発明の目的が実現できたことが理解できるはずである。また、当業者には明白な変更などを本発明に加えることができる。例えば、スルーボアには必ずしもねじを形成する必要はなく、ピボットピンまたはケーブルを受け取ることができるようにしてもよい。また、スルーボアを円筒形状に構成する必要は必ずしもなく、不規則形状に構成して、トルク抵抗を対象とする同様な形状のピンを受け取ることができるようにしてもよい。ベースに２本のピンを使用しているが、ピンの数に制限はなく、またピンのないブラケットを利用することもできる。本発明の場合、他の変更なども可能であり、創意工夫によってのみ制限を受ける。本発明は、特許請求の範囲の記載およびこれと等価の構成によってのみ制限を受けるものである。
【図面の簡単な説明】
【００１４】
【図１】回路基盤ファスナーマウントを示す上部右側正面図である。
【図２】回路基盤ファスナーマウントを示す底部左側正面図である。
【図３】回路基盤ファスナーマウントを示す部分側部断面図である。
【図４】回路基盤ファスナーマウントを示す部分正面断面図である。
【図５】回路基盤ファスナーマウントを示す底部平面図である。
【符号の説明】
【００１５】
１：ねじを形成したボア、
２：底面、
３：切欠き、
４：ピン、
５：上面、
６：溝、
７：ケーブルタイ開口、
１１：ベース、
１２：中間部、
１３：ヘッド。
【図１】
2008544190.tif 000003
【図２】
2008544190.tif 000004
【図３】
2008544190.tif 000005
【図４】
2008544190.tif 000006
【図５】
2008544190.tif 000007
【国際調査報告】
2008544190.tif 000008